(57)【特許請求の範囲】
【請求項１】
データを入力するキー及び該キー入力により作成したデータあるいは受信したデータを表示する表示部をもち、ネットワーク経由によるデータ送受信機能を有する携帯電話機において、
ユーザ固有のパターンをもつ名刺を作成するために用意されたフォーマットの異なる複数の名刺パターンを格納する機能と、
名刺パターン切り替え指示に従って、前記格納されているフォーマットの異なる複数の名刺パターンを順次切り替え表示する機能と、
前記表示された名刺パターンの中から選択された名刺パターンと、キー入力された名刺情報とから当該名刺パターンの名刺データを作成することにより、前記フォーマットの異なる複数の名刺データの作成が可能な名刺データ作成機能と、
前記名刺データ作成機能により作成された前記フォーマットの異なる複数の名刺データを記憶する機能と、
名刺交換モードを設定する機能と、
前記名刺交換モードが設定されているときに、前記記憶されているフォーマットの異なる複数の名刺データを読み出して前記表示部に順次表示する機能と、
前記表示部に順次表示されるフォーマットの異なる複数の名刺データの中から一つの名刺データが選択された後、他の携帯電話機の電話番号又はメールアドレスが入力され、送信キーが押下されたとき、前記データ送受信機能により前記選択された名刺データを読み出して前記他の携帯電話機へ送信する名刺データ送信機能と、
前記データ送受信機能により受信した名刺データを前記表示部に表示する機能と、
を備えたことを特徴とする名刺代行機能搭載携帯電話機。
【請求項２】
前記名刺パターンとして、ユーザ固有の名刺情報を配列した名刺パターンを作成する新規名刺パターン作成機能を有していることを特徴とする請求項１に記載の名刺代行機能搭載携帯電話機。
【請求項３】
前記名刺データ作成機能は、前記名刺情報として、フリーメッセージ内容記入欄を備えていることを特徴とする請求項１または２に記載の名刺代行機能搭載携帯電話機。
【請求項４】
前記受信した名刺デ−タを記憶する機能と、該記憶された名刺データを使用者の操作に応じて、検索、表示する機能を備えていることを特徴とする請求項１〜３のいずれかに記載の名刺代行機能搭載携帯電話機。
【発明の詳細な説明】
【０００１】
【発明の属する技術分野】
本発明は、携帯電話機等の移動通信端末を用い、通信ネットワークを介して名刺交換等を可能にする名刺代行機能搭載携帯型移動通信端末に関する。
【０００２】
【従来の技術】
名刺は、一般に個人情報を印刷した紙カードによって構成されており、他人との間で名刺交換を行うことによりコミュニケーションの補助機能を果している。そのため出張等の際には名刺の携行は欠かせないが、出張先の滞在期間が延びてしまい名刺が無くなってしまったり、名刺を忘れてしまったりすることがしばしばあり先方に対してマナー違反をおかすことがある。
【０００３】
また、収集した名刺は専用ファイル等に保管するか、電子手帳等に手作業で入力し、必要なときに活用されるが、名刺の数が多くなると必要な名刺をファイルの中から検索するのに時間がかかり、さらにキー操作により名刺データを入力するのも手間がかかるという問題がある。
【０００４】
このような問題を解消する手段として、通信機能を持つＰＤＡ（Personal Digital Assistant）あるいは携帯型パソコンを利用する方法がある。ＰＤＡでは、予め登録した名刺情報を他のＰＤＡと交換するとともに、受信した情報を自装置のアドレス帳に取り込むことができるようになっている。一方、携帯型パソコンを利用する方法では、名刺交換機能及びそれと連携したアドレス帳管理機能を持つＰＩＭ（Personal Information Manager）ソフト等をインストールしておき、通信可能な装置との間で自動的に名刺情報を交換することを可能にしている（特開２０００−３０７７８８号公報等）。
【０００５】
また、携帯電話端末に端末所有者の名刺情報を予め登録しておき、名刺交換挨拶の際に、紙カードの名刺の代わりに電子化した名刺情報を専用の無線方式でやり取りし、収集した名刺情報管理を携帯電話端末内で自動的に行うことにより、上記ＰＤＡあるいは携帯型パソコンを携行することなく名刺情報の携帯性を図り、どこでも名刺情報検索を可能にする携帯電話端末が特開２００１−１１７８８３号公報に記載されている。
【０００６】
上記公報記載の携帯電話端末では、携帯電話端末に、端末持主の会社名、所属名、役職、氏名、住所、電話番号、ＦＡＸ番号、電子メールアドレス等の名刺情報を入力し記録するアプリケーションソフトとそれらの情報を格納するメモリと、相手からの同様の名刺情報を受信するとともに名刺交換に関連するメモ情報を入力可能とし、項目単位に管理及び記録するアプリケーションソフトとそれらの情報を格納するメモリとを備え、名刺交換作業は、通常の携帯電話利用に支障のない周波数帯でかつ受信エリアの狭い微弱電波あるいは赤外線等の光による無線方式により、携帯電話端末間で名刺情報を送受信することにより行われる。さらに、収集した名刺情報の会社名、氏名等から連絡先の電話番号検索、あるいは電子メール宛先指定を行い、携帯電話端末から直接アクセスできる機能を有している。
【０００７】
【発明が解決しようとする課題】
上記公報記載の携帯電話端末による名刺交換を行えば、紙製の名刺カードが不要となってパルプ資源の節約につながり、名刺を注文購入する必要もないのでコスト削減が可能となるとともに、名刺の管理も容易となる。また、携帯電話機は近年急速に普及しており、ＰＤＡあるいは携帯型パソコンを別途携帯しなくても名刺交換が可能になる利点がある。
【０００８】
しかしながら、上記公報記載の携帯電話端末は、名刺交換を行うために通常の携帯電話利用に支障のない周波数帯でかつ受信エリアの狭い微弱電波、あるいは赤外線等の光による無線通信を行うための構成を携帯電話端末に別途設ける必要があり、その分携帯電話端末のコストをアップする要因となる。
【０００９】
本発明は、上記問題点に鑑み、携帯電話端末が移動体通信機能として備えているｉメールや高速データ通信機能を用いて電子的に名刺交換を行うことが可能な手段を提供することにある。
【００１０】
【課題を解決するための手段】
本発明は、データを入力するキー及び該キー入力により作成したデータあるいは受信したデータを表示する表示部をもち、ネットワーク経由によるデータ送受信機能を有する携帯電話機に、キー入力により名刺データを作成する機能と、作成された名刺データを記憶する機能と、名刺交換モードを設定する機能と、前記名刺交換モードが設定されメールアドレス又はダイヤルによって他の携帯電話機への送信が指示されたとき、前記データ送受信機能により前記記憶されている名刺データを読み出して他の携帯電話機へ送信する機能と、前記データ送受信機能により受信した名刺データを前記表示部に表示する機能を備えたことを特徴とする。
【００１１】
上記機能は、携帯電話機内蔵のＣＰＵにより携帯電話機内のメモリに格納された名刺管理プログラムに従って実行される。この名刺管理プログラムには、名刺作成機能と、作成された名刺を記憶する機能と、記憶されている名刺データを読み出して表示し、送信する機能と、受信した名刺データを表示し、メモリに記憶する機能と、記憶されている名刺データの検索機能等が備えられている。
【００１２】
名刺作成機能には、フォーマットの異なる複数の名刺パターンが予め用意されており、使用者はそれらの中から好みの名刺パターンを読み出し、名刺情報をキー入力することにより好みの名刺を作成することができる。また、異なる複数のパターンの名刺を作成してメモリに記憶させておき、名刺交換に際してこれら作成した複数の名刺パターンの中から任意の名刺パターンを選択して送信する機能を有している。
【００１３】
本発明は、移動通信端末（携帯電話）が通信機能として備えているｉメールや高速データ通信を利用して名刺の交換を行う機能を実現するので、携帯電話機に名刺交換を行うために専用のハードウェアを別途設ける必要がなく、かつＰＤＡあるいは携帯型パソコンを別途携帯しなくても名刺交換が可能になる。
【００１４】
【発明の実施の形態】
図１は、本発明における名刺作成機能の実施形態を示す概念図であり、携帯電話機１内のメモリには、本発明を実施するための名刺管理プログラムが格納されている。
【００１５】
携帯電話機１のユーザ機能である名刺管理プログラムが起動され、メニューキー（Ｍキー）により名刺作成機能１００が選択されると、携帯電話機１の表示画面（ＬＣＤ）上に表示１０１が表示される。表示１０１後、決定キーを押下すると表示１０２になるので名前、会社名、電話番号及びＥメールアドレス等の名刺情報を各記入欄にキー入力する。（表示１０３）。
【００１６】
但し、会社名、電話番号及びＥメールアドレスは必須として用いるのではなくオプションとしての機能とする。例えば、会社関連の人々に面会する際にはオプション箇所を明記することは当然のことであるが、学生同士、主婦などの会社に勤務していない人々には不要な項目である。
【００１７】
そのため、本実施携帯の名刺作成機能には、フォーマットの異なる複数の名刺パターンが予め用意されプログラム内に格納されており、表示１０２が表示されているときに名刺パターン切り替えを指示すると、プログラム内に格納されている名刺パターンが順次切り替え表示され、ユーザは表示された名刺パターンの中から適当な名刺パターンを選択することが可能である。
【００１８】
また、表示１０２として読み出される横書きフォーマットの名刺パターンに対して名刺情報をキー入力した後、それを縦書きに変更すること、あるいは文字の大きさ、文字フォントの変更等の指定を行うことにより、ユーザ固有のパターンをもつ名刺を作成することができる。さらに、読み出された名刺パターンの中に適当な名刺パターンがない場合には、表示１０２が表示されているときに新規名刺パターン作成を選択することにより、ユーザ固有の名刺情報を配列した名刺パターンを作成することができる。
【００１９】
このようにして、所望の名刺を作成（表示１０３）し、確定キーを押下するとフリーメッセージ内容を記入できる表示１０４が表示されるので、必要に応じてフリーメッセージを記入し、登録キーを押下することにより、作成した名刺が携帯電話機内のメモリに登録される。この表示１０４には、名刺を送信した相手との会話や打ち合わせの内容、面会した日付をデータとして残しておいたり、あるいは友達同士ならば自分のピーアールなどをして楽しむこともできる。
【００２０】
また、本機能で作成したデータは最高１００件程度まで保存可能であり、いつまでもデータを残しておきたいならばユーザが使用しているＰＣにデータを転送して保存しておくこともできる。
【００２１】
図２は、本発明における名刺交換機能を示す処理フロー図である。Ｍキーにより名刺交換機能が選択される（Ｓ２００）と、名刺作成機能１００により作成されてメモリに保存されている自己の名刺が読み出されて表示部に表示される（Ｓ２０１）。その際、メモリに複数の異なる名刺パターンが登録されている場合には、他の名刺パターンが登録されていることを合わせて表示する。
【００２２】
ユーザは登録されている名刺パターンを順次表示させ、所望の名刺パターンが表示されたときに確定キーを押下する（Ｓ２０２）。次に、相手端末の電話番号あるいはメールアドレスを入力し（Ｓ２０３）、送信キーを押下する（Ｓ２０４）と、前記所望の名刺パターンのデータ及びそれに付随して登録されたフリーメッセージが相手端末に送信される（Ｓ２０５）。
【００２３】
図３は、本発明における名刺受信機能を示す処理フロー図である。相手端末から名刺データを受信する（Ｓ３００）と、受信した名刺が表示部に表示される（Ｓ３０１）。名刺が表示されている時に保存キーを押下する（Ｓ３０２）と、この受信された名刺データがメモリに記憶される（Ｓ３０３）。
【００２４】
メモリに記憶された名刺データは、名刺データ検索機能により検索することができる。図４は、本発明における名刺検索機能を示す処理フロー図である。Ｍキーにより名刺検索機能を選択し（Ｓ４００）、名前、会社名等の検索項目を指定して（Ｓ４０１）データをキー入力する（Ｓ４０２）と、該当する名刺データの数が表示部に表示される（Ｓ４０３）。該当する名刺データの数が多い場合には更に検索項目を増やす等により数を減らすことができる。
【００２５】
該当する名刺データの数が表示部に表示されているとき、名刺データの表示を指示するキーを押下する（Ｓ４０４）と、ヒットした名刺データの内の一つが表示部に表示される（Ｓ４０５）。その後、名刺データの表示を指示するキーを押下する毎に、ヒットした他の名刺データが順次表示される。
【００２６】
【発明の効果】
本発明によれば、名刺カードが不要となり紙代及び資源の節約が図れ、さらに普及している携帯電話機能をそのまま利用可能であるので、比較的低コストで実現可能となる。また、名刺のスタイルも任意に変更でき、会社で定められた名刺ではないため自分を相手にアピールすることが容易となり、親近感を与えるためコミュニケーション的にも良好を保つ手段として活用することができる。
【図面の簡単な説明】
【図１】本発明における名刺作成機能の実施形態を示す概念図である。
【図２】本発明における名刺送信機能を示す処理フロー図である。
【図３】本発明における名刺受信機能を示す処理フロー図である。
【図４】本発明における名刺検索機能を示す処理フロー図である。
【符号の説明】
１  携帯電話機
１００  名刺作成機能
２００  名刺送信機能
３００  名刺受信機能
４００  名刺検索機能
【図１】
0003709377.tif 000002
【図２】
0003709377.tif 000003
【図３】
0003709377.tif 000004
【図４】
0003709377.tif 000005